(57)【特許請求の範囲】
【請求項１】
先端部が本体部に比して小径とされた弾性材料からなる芯材と、この芯材の最先端部外周に装着されたＸ線不透過性の金属コイルと、先端が閉塞されていて、前記金属コイルを含む前記芯材の最先端から本体部に至る手前の部分までを完全に覆うように被覆する樹脂チューブと、この樹脂チューブ外周を被覆する親水性樹脂膜とを有し、前記樹脂チューブ及び前記親水性樹脂膜が施された部分の外径が、前記芯材の本体部の製品外径よりも細くされており、前記樹脂チューブが前記芯材の最先端より更に前方に突出するように被覆されていて、前記樹脂チューブの突出した内部が空洞となっていることを特徴とする医療用ガイドワイヤ。
【請求項２】
前記芯材の本体部には、疎水性樹脂膜が被覆されている請求項１記載の医療用ガイドワイヤ。
【請求項３】
前記芯材の樹脂チューブにＸ線不透過性材料が混入されている請求項１又は２記載の医療用ガイドワイヤ。
【請求項４】
弾性材料からなる芯材の先端部を本体部に比して小径とし、この芯材の最先端部外周にＸ線不透過性の金属コイルを装着し、この金属コイルを含む前記芯材の最先端から本体部に至る手前の部分までを完全に覆うように、先端が閉塞されると共に、溶剤で膨潤させたチューブを被せて、前記溶剤を乾燥させることにより、前記樹脂チューブを収縮させて、前記芯材の先端部に被着させた後、前記樹脂チューブの外周に親水性樹脂膜を被覆して、前記樹脂チューブ及び前記親水性樹脂膜が施された部分の外径が、前記芯材の本体部の製品外径よりも細くなるようにすると共に、前記樹脂チューブを、前記芯材の最先端より更に前方に突出するように被覆して、前記樹脂チューブの突出した内部が空洞となるようにすることを特徴とする医療用ガイドワイヤの製造方法。
【発明の詳細な説明】
【０００１】
【発明の属する技術分野】
本発明は、例えば血管、尿管、胆管、気管などの人体の管状器官にカテーテルを挿入する際、カテーテルの先端を目的箇所に導くために用いられる医療用ガイドワイヤに関する。
【０００２】
【従来の技術】
近年、血管、尿管、胆管、気管などの人体の管状器官における検査・治療のため、カテーテルを挿入して造影剤などの薬剤を投与したり、カテーテルを通して鉗子等によって組織の一部を採取したりすることが行われている。カテーテルの挿入に際しては、管状器官内に、まず、比較的細くて柔軟なガイドワイヤを挿入し、ガイドワイヤの先端を目的箇所に到達させた後、このガイドワイヤの外周に沿ってカテーテルを挿入し、ガイドワイヤを抜き出すようにしている。
【０００３】
このガイドワイヤとしては、目的とする管状器官内に無理なく挿入できる程度の細さ、管状器官内壁を損傷しないような先端部の柔軟性、管状器官内に押し込むことができる程度の本体部の剛性、カテーテル及び管状器官内での滑り性、血栓付着防止性などを兼ね備えたものが望まれている。
【０００４】
このようなガイドワイヤとして、例えば特開平１０−１４６３９０号には、本体部と、該本体部よりも細径の先端部と、該本体部と該先端部との間の移行部とからなる超弾性芯材と、該芯材の先端部に密着して設けられたＸ線造影性金属コイルと、該造影性金属コイルと該芯材の少なくとも一部を被覆して実質的に平滑な外表面を形成する合成樹脂製被覆部材と、該合成樹脂製被覆部材の少なくとも一部を覆う親水性潤滑層とからなることを特徴とするガイドワイヤが開示されている。
【０００５】
【発明が解決しようとする課題】
しかしながら、上記従来のガイドワイヤにおいて、芯材の全体に合成樹脂製被覆部材及び親水性潤滑層を形成した場合には、それらの樹脂層によってガイドワイヤの厚さがとられるため、目的とする管状器官内に無理なく挿入できる程度の細さを維持しようとすると、芯材全体を細くせざるを得なくなり、芯材を管状器官内に押し込むときの剛性が不足して、プッシュアビリティ（push ability) が低下するという問題があった。
【０００６】
一方、芯材の先端部のみに合成樹脂製被覆部材及び親水性潤滑層を形成しようとすると、合成樹脂製被覆部材の芯材への被覆成形が極めて困難となるという問題点があった。すなわち、押出成形、射出成形、ディッピング等の各種の手段を採用しても、Ｘ線造影性金属コイル等が装着されて複雑な形状をなす芯材の先端部のみに、薄くて表面が平滑な合成樹脂被覆を施すことは難しかった。
【０００７】
したがって、本発明の目的は、芯材の本体部の外径を維持してプッシュアビリティを良好にすると共に、滑り性や血栓付着防止性などを兼ね備え、しかも一定の品質のものを安定して製造できる医療用ガイドワイヤ及びその製造方法を提供することにある。
【０００８】
【課題を解決するための手段】
上記目的を達成するため、本発明の第１は、先端部が本体部に比して小径とされた弾性材料からなる芯材と、この芯材の最先端部外周に装着されたＸ線不透過性の金属コイルと、先端が閉塞されていて、前記金属コイルを含む前記芯材の最先端から本体部に至る手前の部分までを完全に覆うように被覆する樹脂チューブと、この樹脂チューブ外周を被覆する親水性樹脂膜とを有し、前記樹脂チューブ及び前記親水性樹脂膜が施された部分の外径が、前記芯材の本体部の製品外径よりも細くされており、前記樹脂チューブが前記芯材の最先端より更に前方に突出するように被覆されていて、前記樹脂チューブの突出した内部が空洞となっていることを特徴とする医療用ガイドワイヤを提供する。
【０００９】
上記第１の発明によれば、芯材の先端部を樹脂チューブで被覆したことにより、芯材の先端部に薄くて一定の厚さの平滑な樹脂層を容易に形成することができる。また、樹脂チューブの表面に親水性樹脂膜が形成されているので、滑り性及び血栓付着防止性に優れている。更に、前記樹脂チューブ及び前記親水性樹脂膜が施された部分の外径が、前記芯材の本体部の製品外径よりも細くされているので、細い血管等への挿入も可能になり、芯材の本体部の外径を十分に確保して剛性を維持できるので、挿入時のプッシュアビリティに優れている。
【００１１】
また、Ｘ線不透過性の金属コイルによって、先端部の柔軟性を損なわずに、先端部の位置確認をすることができ、金属コイルの外周を包み込むように樹脂チューブを被覆したことにより、先端部の滑り性を向上させることができる。
【００１５】
また、樹脂チューブによって滑り性を付与すると共に、樹脂チューブを芯材の最先端より更に前方に突出させたことにより、最先端部の柔軟性をより向上させることができる。
【００１６】
本発明の第２は、前記第１の発明において、前記芯材の本体部には、疎水性樹脂膜が被覆されている医療用ガイドワイヤを提供する。
【００１７】
上記発明によれば、芯材の本体部の外径を狭めることなく、本体部外周の滑り性、血栓付着防止性を向上させることができる。
【００１８】
本発明の第３は、前記第１又は第２の発明において、前記芯材の樹脂チューブにＸ線不透過性材料が混入されている医療用ガイドワイヤを提供する。
【００１９】
上記発明によれば、先端部のＸ線不透過性を高めて位置確認をしやすくすることができる。
【００２２】
本発明の第４は、弾性材料からなる芯材の先端部を本体部に比して小径とし、この芯材の最先端部外周にＸ線不透過性の金属コイルを装着し、この金属コイルを含む前記芯材の最先端から本体部に至る手前の部分までを完全に覆うように、先端が閉塞されると共に、溶剤で膨潤させたチューブを被せて、前記溶剤を乾燥させることにより、前記樹脂チューブを収縮させて、前記芯材の先端部に被着させた後、前記樹脂チューブの外周に親水性樹脂膜を被覆して、前記樹脂チューブ及び前記親水性樹脂膜が施された部分の外径が、前記芯材の本体部の製品外径よりも細くなるようにすると共に、前記樹脂チューブを、前記芯材の最先端より更に前方に突出するように被覆して、前記樹脂チューブの突出した内部が空洞となるようにすることを特徴とする医療用ガイドワイヤの製造方法を提供する。
【００２３】
上記発明によれば、弾性材料からなる芯材の先端部に樹脂チューブを密着性よく被着させることができ、表面が平滑で薄い均一な厚さを有する樹脂層を、芯材に容易に形成することができる。
【００２７】
また、Ｘ線不透過性の金属コイルが装着された複雑な形状の芯材の先端部外周に、表面が平滑で薄い均一な厚さを有する樹脂層を容易に形成することができる。
【００２８】
【発明の実施の形態】
図１には、本発明を理解するための参考例である医療用ガイドワイヤの一実施形態が示されている。このガイドワイヤ１０は、芯材１１と、芯材１１の先端部１１ａ外周に装着されたＸ線不透過性の金属コイル２０と、芯材１１の先端部１１ａ及び金属コイル２０を被覆する樹脂チューブ３０と、樹脂チューブ３０の外周に被覆された親水性樹脂膜４０とで主として構成されている。
【００２９】
芯材１１としては、超弾性材料、ステンレス、ピアノ線などの弾性材料が用いられる。超弾性材料としては、Ｎｉ−Ｔｉ合金、Ｃｕ−Ｚｎ−Ｘ（Ｘ＝Ａｌ，Ｆｅ等）合金、Ｎｉ−Ｔｉ−Ｘ（Ｘ＝Ｆｅ，Ｃｕ，Ｖ，Ｃｏ等）合金等が好ましく用いられる。
【００３０】
前記Ｎｉ−Ｔｉ合金等は、形状記憶合金として、形状記憶効果や超弾性（擬弾性）効果を持つことが広く知られており、その内、超弾性（擬弾性）効果を持つものは、降伏点をこえる変形ひずみにより永久変形してしまう通常の金属材料とは異なり、降伏点をこえる変形ひずみを与えても、除荷すると永久変形せずにもとの形状へ復帰し、ねじりや曲げに対する戻り特性も大きいため、ガイドワイヤの芯材として好適であり、更に超弾性（擬弾性）効果を発揮する温度条件が人や動物の体内温度か、もしくはそれ以下に設定されたものが良い。
【００３１】
超弾性（擬弾性）については、日本規格協会発行のＪＩＳ  Ｈ  ７００１を参照することができる。
【００３２】
芯材１１は、本体部１１ｂと、本体部１１ｂに対して小径とされた先端部１１ａとを有している。先端部１１ａは、最先端１１ａ’に向けて次第に小径となる形状をなすことが好ましく、例えばテーパ状、段状等をなす形状が好ましい。
【００３３】
本体部１１ｂに対して小径の先端部１１ａの長さＡは、１５０〜７００ｍｍ程度が好ましく、芯材１１全体の長さ、すなわちガイドワイヤ１０の長さは、１０００〜３０００ｍｍ程度が好ましい。芯材１１の本体部１１ｂの直径は、０．２〜１．０ｍｍ程度の範囲で目的に応じて適宜設定される。
【００３４】
本体部１１の外周には、滑り性、血栓付着防止性を付与するため、疎水性樹脂膜１２が被覆されている。疎水性樹脂膜１２としては、例えばシリコン樹脂、フッ素系樹脂等が好ましく採用される。
【００３５】
芯材１１の先端部１１ａの外周には、Ｘ線不透過性の金属コイル２０が装着されている。この実施形態の場合、金属コイル２０は、ろう材２１、２２を介して芯材１１の先端部に固着されており、一方のろう材２２は、芯材１１の最先端１１ａ’を包み込む丸い頭部をなしている。Ｘ線不透過性の金属コイル２０としては、例えば金、白金、銀、ビスマス、タングステン、又はこれらの金属を含有する合金が好ましく用いられる。Ｘ線不透過性の金属コイル２０は、本体部１１ｂに対して小径の先端部１１ａの全体に装着されていてもよいが、先端部１１ａの途中から最先端１１ａ’に向けて装着されていてもよい。なお、金属コイル２０を芯材１１に固着する手段としては、ろう材による溶接に限らず、接着剤による接着等の手段を採用することもできる。
【００３６】
樹脂チューブ３０は、芯材１１の先端部１１ａに被覆されている。好ましくは、芯材１１の最先端１１ａ’から所定長さの部分と、金属コイル２０の外周とを覆うように被覆する。樹脂チューブ３０としては、親水性樹脂膜４０が被覆できるものであればよいが、例えば、ポリウレタン、ポリエーテルブロックアミド、ポリエチレン、ポリ塩化ビニル、ポリエステル、ポリプロピレン、ポリアミド、ポリスチレン、フッ素系樹脂、シリコン樹脂等が採用される。また、樹脂チューブ３０は、Ｘ線不透過性材料を含有するものでもよい。Ｘ線不透過性材料としては、例えばビスマス、硫酸バリウム、タングステンなどの粉末が好ましく用いられる。
【００３７】
樹脂チューブ３０の長さＢは、芯材１１の最先端１１ａ’から本体部１１ｂに至る手前の部分までを被覆する長さとされ、具体的には、１５０〜７００ｍｍ、より好ましくは１５０〜５００ｍｍとされる。樹脂チューブ３０の厚さは、特に限定されないが、０．５〜５０μｍ程度が好ましい。
【００３８】
なお、本発明の場合、樹脂チューブ３０の先端は閉塞されていて、芯材１１の最先端１１ａ’及びろう材２２を完全に覆う形状をなしている。
【００３９】
樹脂チューブ３０の外周を被覆する親水性樹脂膜４０としては、−ＯＨ、−ＣＯＮＨ2 、−ＣＯＯＨ、−ＮＨ2 、−ＣＯＯ- 、−ＳＯ3-などの親水性基を有する樹脂であって、好ましくは樹脂チューブ３０の表面に結合できる官能基を有するものが好ましく採用される。例えば、ポリビニルピロリドン、ポリエチレングリコールなどが好ましく採用される。
【００４０】
樹脂チューブ３０と親水性樹脂膜４０との結合構造としては、例えば、樹脂チューブ３０として、イソシアネート基が残存する樹脂を用いるか、イソシアネート基と反応性を有する樹脂を用い、イソシアネート基と反応性を有する樹脂を用いる場合には、更にイソシアネート基を有する化合物を反応させた後、これらのイソシアネート基を介して、ポリビニルピロリドン、ポリエチレングリコールなどの親水性樹脂を結合させる方法などが好ましく用いられる。このような親水性樹脂膜４０の形成方法は、例えば、特開平５−１８４６６６号、特開平７−８００７８号、特開平７−１２４２６３号に詳しく示されている。
【００４１】
こうして装着された樹脂チューブ３０及び親水性樹脂膜４０の外径Ｃは、芯材１１の本端部１１ｂの製品外径Ｄよりも細くされている。それによって、ガイドワイヤ１０の先端部の太さを細くして、細い血管等にも挿入することが可能となるとともに、芯材１１の本体部１１ｂの剛性を維持して挿入時のプッシュアビリティを向上させることができる。ここで製品外径Ｄとは、芯材１１の本体部１１ｂと、その表面に被覆された疎水性樹脂膜１２等とを合わせた最外径を意味する。
【００４２】
なお、本発明においては、Ｘ線不透過性の金属コイル２０の代わりに、同様な材質の金属リングあるいはチップを配置したり、樹脂チューブ３０にＸ線不透過性材料を混入して、金属コイル２０を省略することもできる。
【００４３】
また、本来は、ガイドワイヤを覆う樹脂膜には、滑り性の点では、親水性樹脂膜が良いが、金属に直接被覆することが困難である。本願の樹脂チューブによる被膜であれば、十分な薄さの被覆厚と成形性があり、ガイドワイヤ全体を被覆しても問題はないが、ここでは、芯材の本体部の外径を更に狭めずに、要求される滑り性と抗血栓付着防止性も良好で、かつ、非常に薄い被膜を形成できる疎水性樹脂膜を芯材の本体部に直接被覆している。これにより、高い潤滑性を必要とされる先端部は、親水性樹脂膜により非常に良好な滑り性を持ちつつ、結果としてガイドワイヤのプッシュアビリティも向上されることとなる。
【００４４】
図２には、本発明による医療用ガイドワイヤの製造方法を理解するための参考例が示されている。図中、図１と実質的に同一部分には同符号を付してその説明を省略することにする。
【００４５】
図２（ａ）に示すように、芯材１１の先端部１１ａを、機械加工、エッチング等の手段によって、例えばテーパ状、段状等の形状に小径化し、この先端部１１ａにＸ線不透過性の金属コイル２０を、ろう材２１、２２によって固着する。ろう材２２は、芯材１１の最先端１１ａ’をも固着して丸い頭部をなすように形成する。なお、ろう材２１、２２の代わりに接着剤を用いてもよい。芯材１１の本体部１１ｂ外周には、シリコン樹脂、フッ素系樹脂等の疎水性樹脂膜１２を形成する。
【００４６】
次に、図２（ｂ）に示すように、芯材１１の先端部１１ａ及び金属コイル２０の外周に、溶剤によって膨潤させた樹脂チューブ３０を被せる。樹脂チューブ３０は、本来は金属コイル２０の外径よりも細い内径に形成されているが、溶剤によって膨潤させることにより、金属コイル２０の外径よりも太い内径とされているため、金属コイル２０の外周に容易に装着できる。例えば樹脂チューブ３０としてポリウレタンを用いた場合、膨潤させるための溶剤としては、ジクロロメタン、メチルエチルケトン（ＭＥＫ）、トルエンなどが好ましく用いられる。
【００４７】
この状態で、樹脂チューブ３０の溶剤を乾燥させると、図２（ｃ）に示すように、樹脂チューブ３０が収縮して金属コイル２０の外周に密着して、芯材１１の先端部１１ａ及び金属コイル２０の外周に被覆される。この場合、樹脂チューブ３０は均一な厚さを有していて、その表面は、押出し等の他の方法により樹脂を被覆させた場合に比べて平滑となる。また、樹脂チューブ３０を常温で被覆させることができ、芯材１１が加熱されたりしないため、超弾性材料などからなる芯材１１の特性を損なうことがない。
【００４８】
次に、図２（ｄ）に示すように、樹脂チューブ３０の外周面に、前述したような方法で親水性樹脂膜４０を形成することにより、本発明の医療用ガイドワイヤ１０を製造することができる。
【００４９】
なお、医療用ガイドワイヤの製造方法としては、次の方法もある。すなわち、芯材１１の先端部１１ａ及び金属コイル２０の外周に、それらの外周に被せることが可能な内径に成形された樹脂チューブ３０を被せる。そして、樹脂チューブ３０の一部、例えば開口部内周（図１の３０ａ）等を、芯材１１に接着又は溶着により固定する。更に、樹脂チューブ３０の外周面に前述したような方法で親水性樹脂膜４０を形成する方法である。
【００５０】
上記において、接着剤としては、ウレタンアクリレート系樹脂、シアノアクリレート系樹脂、アクリレート系樹脂等が用いられる。また、溶着は、メチルエチルケトン（ＭＥＫ）や、テトラヒドロフラン（ＴＨＦ）等の溶剤を用いて行うことができる。また、樹脂チューブの材料であるウレタン樹脂等を前記溶剤で溶かしたものを接着剤として使用することもできる。
【００５１】
図３には、本発明を理解するための参考例である医療用ガイドワイヤが示されている。なお、図１,２に示した実施形態と実質的に同じ部分には、同符合を付してその説明を省略することにする。
【００５２】
この医療用ガイドワイヤは、樹脂チューブ３０が、芯材１１の先端部１１ａの基部寄り部分から金属コイル２０の途中に至る部分を被覆するように装着されており、金属コイル２０及びろう材２２による頭部が樹脂チューブ３０の先端から突出している点が相違する。このように、金属コイル２０の途中から先端部分及び頭部を樹脂チューブ３０の先端から突出させたことにより、ガイドワイヤの先端部の柔軟性を高めることができる。
【００５３】
図４には、本発明を理解するための参考例である医療用ガイドワイヤが示されている。なお、前記と同様に、図１,図２に示した実施形態と実質的に同じ部分には、同符合を付してその説明を省略する。
【００５４】
この医療用ガイドワイヤは、図３の実施形態とほとんど同じであるが、樹脂チューブ３０が、芯材１１の先端部１１ａの基部寄り部分から金属コイル２０の手前に至る部分を被覆するように装着されている点が相違する。この実施形態では、金属コイル２０の全体及び頭部が樹脂チューブ３０から突出していることにより、ガイドワイヤの先端部の柔軟性をより高めることができる。
【００５５】
図５には、本発明による医療用ガイドワイヤの一実施形態が示されている。なお、前記と同様に、図１，２に示した実施形態と実質的に同じ部分には、同符合を付してその説明を省略する。
【００５６】
この医療用ガイドワイヤは、芯材１１の先端部１１ａに装着された金属コイル３０を完全に包み込むように樹脂チューブ３０が被覆されており、しかも樹脂チューブ３０の先端が芯材１１の最先端１１ａ’及びそこに形成された頭部よりも更に前方に突出している。すなわち、ガイドワイヤの最先端部は、樹脂チューブ３０のみからなり、樹脂チューブ３０の最先端の内部３１は、空洞となっている。これによってガイドワイヤの最先端部の柔軟性がより一層向上すると共に、樹脂チューブ３０で金属コイル２０を完全に包み込んだことにより、滑り性も良好となっている。なお、樹脂チューブ３０の先端が芯材１１の最先端１１ａ’及び頭部よりも前方に突出する長さ、すなわち図５におけるＤの長さは、２〜２０ｍｍが好ましい。
【００５７】
図６には、本発明による医療用ガイドワイヤの他の実施形態が示されている。なお、前記と同様に、図１，２に示した実施形態と実質的に同じ部分には、同符合を付してその説明を省略する。
【００５８】
この医療用ガイドワイヤは、芯材１１の先端部１１ａが先端方向に向けて２段階で縮径されており、その最先端部１１ａ’に安全ワイヤ１３がろう付け等の手段によって前方に延長するように連接されている。安全ワイヤ１３は、芯材１１の先端部１１ａより細い丸線又は平線等のステンレス等の細線からなり、ガイドワイヤの先端部をより柔軟にしている。安全ワイヤ１３の先端は、丸い頭部をなすろう材２２に固着されている。
【００５９】
そして、芯材１１の先端部１１ａ外周には、基部寄り部分に第１の金属コイル２３が装着され、先端側に第２の金属コイル２４が装着されている。第１の金属コイル２３は、好ましくは白金又はステンレスからなり、その基端部をろう材２１によって芯材１１に固着され、その先端部をろう材２５によって芯材１１及び第２の金属コイル２４に固着されている。第２の金属コイル２４は、白金等のＸ線不透過性材料からなり、その基端部をろう材２５によって第１の金属コイル２３の先端部及び芯材１１に固着され、その先端部を丸い頭部をなすろう材２２に固着されている。第２の金属コイル２４は、Ｘ線不透過性のマーカーとして作用すると共に、ピッチ間隔を開けることによって柔軟性を付与されている。
【００６０】
更に、芯材１１の先端部１１ａ、第１の金属コイル２３、第２の金属コイル２４及び丸い頭部をなすろう材２２を全て覆うように、樹脂チューブ３０が被覆されており、この樹脂チューブ３０の表面には前述したような材質の親水性樹脂膜４０が被覆されている。
【００６１】
この医療用ガイドワイヤにおいては、芯材１１の先端部１１ａに安全ワイヤ１３を連接すると共に、Ｘ線不透過性のマーカーを兼ねた第２の金属コイル２５をピッチ開きコイルとしたことにより、ガイドワイヤの先端部を柔軟にすることができる。
【００６２】
図７には、本発明を理解するための参考例である医療用ガイドワイヤが示されている。なお、図６に示した実施形態と実質的に同じ部分には、同符合を付してその説明を省略するこの医療用ガイドワイヤは、基本的には図６に示したものと同じ構造をなしているが、樹脂チューブ３０が芯材１１の先端部１１ａ及び第１の金属コイル２３の外周に装着されていて、第２の金属コイル２４の外周には樹脂チューブ３０が被覆されていない点が相違している。
【００６３】
このガイドワイヤによれば、第２の金属コイル２４の外周に樹脂チューブ３０が装着されておらず、しかも第２の金属コイル２４がピッチ開きコイルとなっているため、ガイドワイヤの先端部をより柔軟にすることができる。
【００６４】
【実施例】
参考例１
図２に示したような製造工程により、ガイドワイヤを製造した。芯材１１としては、ステンレスからなり、本体部１１ｂの外径が０．３５ｍｍ、全体の長さが１８００ｍｍのものを用いた。この芯材１１の最先端１１ａ’から５００ｍｍの部分をテーパ状に加工して先端部１１ａを形成した。
【００６５】
この先端部１１ａ外周に白金合金からなるＸ線不透過性のコイル２０をろう材２１、２２によって固着し、芯材１１の最先端１ｌａ’は、ろう材２２に固着して丸い頭部に形成した。
【００６６】
上記コイル２０の外周に、ポリウレタンからなり、メチルエチルケトンで膨潤させた樹脂チューブ３０を被せ、乾燥させることによって、芯材１１の先端部１１ａ及びコイル２０の外周に被着させた。
【００６７】
次に、樹脂チューブ３０が被着された部分を、４，４−ジフェニルメタンイソシアネートの５重量％メチルエチルケトン溶液に３０〜１２０秒間浸漬し、６０℃で１０〜６０分放置して反応させることにより、樹脂チューブ３０の表面に未反応のイソシアネート基を形成した。
【００６８】
更に、分子量１２０万のポリビニルピロリドン（商品名「Ｋ−９０」、和光純薬株式会社製）を２〜１０重量％含有するジクロロメタン溶液に３〜６０秒間浸漬し、６０℃で３〜１２時間放置して、未反応のイソシアネート基にポリビニルピロリドンを結合させると共に、ポリビニルピロリドンを相互に重合させて、親水性樹脂膜４０を形成した。
【００６９】
こうして得られたガイドワイヤ１０を、カテーテル導入用に用いたところ、カテーテル及び血管内での滑り性が良好で、表面に血栓等の付着もなく、挿入時のプッシュアビリティも良く、優れた操作性が得られた。
【００７０】
参考例２
参考例１と同様にして、芯材１１の先端部１１ａ外周にＸ線不透過性のコイル２０をろう材２１、２２によって固着した。このコイル２０の外周に、ポリウレタンからなる、その内径をコイル２０の外径よりやや大きくされた樹脂チューブ３０（溶剤で膨潤されていないもの）を被せた。
【００７１】
次いで、樹脂チューブ３０の開口部内周３０ａ（図１参照）を、アクリレート系紫外線硬化型接着剤（商品名「Three Bond 3018 」、スリーボンド社製）により、芯材１１に接着して固定した。
【００７２】
更に、実施例１と同様な方法で、樹脂チューブ３０の外周に、ポリビニルピロリドンからなる親水性樹脂膜４０を形成した。なお、この親水性樹脂膜４０の形成時に、樹脂チューブ３０が溶剤の影響で柔らかくなり、開口部内周３０ａのみが固定されていることから延び、結果としてより薄い樹脂チューブ３０を形成することができた。その後、最先端より突出した部分の樹脂チューブを切除し、前記接着剤で樹脂チューブの先端を閉塞接着した。
【００７３】
こうして得られたガイドワイヤ１０も、カテーテル導入用に用いたところ、カテーテル及び血管内での滑り性が良好で、表面に血栓等の付着もなく、挿入時のプッシュアビリティも良く、優れた操作性が得られた。
【００７４】
【発明の効果】
以上説明したように、本発明の医療用ガイドワイヤによれば、芯材の先端部を樹脂チューブで被覆したことにより、芯材の先端部に薄くて一定の厚さの平滑な樹脂層を容易に形成することができる。また、樹脂チューブの表面に親水性樹脂膜が形成されているので、滑り性及び血栓付着防止性に優れている。更に、前記樹脂チューブ及び前記親水性樹脂膜が施された部分の外径が、前記芯材の本体部の製品外径に等しいかそれよりも細くされているので、細い血管等への挿入も可能になり、芯材の本体部の外径を十分に確保して剛性を維持できるので、挿入時のプッシュアビリティに優れている。
【００７５】
また、本発明の医療用ガイドワイヤの製造方法によれば、弾性材料からなる芯材の先端部に、表面が平滑で薄い均一な厚さを有する樹脂チューブを、芯材の先端部に容易に被着させることができる。
【図面の簡単な説明】
【図１】本発明を理解するための参考例である医療用ガイドワイヤを示す断面図である。
【図２】本発明の医療用ガイドワイヤの製造方法を理解するための参考例を示す工程図である。
【図３】本発明を理解するための参考例である医療用ガイドワイヤを示す断面図である。
【図４】本発明を理解するための参考例である医療用ガイドワイヤを示す断面図である。
【図５】本発明の医療用ガイドワイヤの一実施形態を示す断面図である。
【図６】本発明の医療用ガイドワイヤの他の実施形態を示す断面図である。
【図７】本発明を理解するための参考例である医療用ガイドワイヤを示す断面図である。
【符号の説明】
１０  医療用ガイドワイヤ
１１  芯材
１１ａ  先端部
１１ａ’  最先端
１１ｂ  本体部
１２  疎水性樹脂膜
１３  安全ワイヤ
２０  Ｘ線不透過性の金属コイル
２３  第１の金属コイル
２４  第２の金属コイル
３０  樹脂チューブ
４０  親水性樹脂膜
【図１】
0004312875.tif 000002
【図２】
0004312875.tif 000003
【図３】
0004312875.tif 000004
【図４】
0004312875.tif 000005
【図５】
0004312875.tif 000006
【図６】
0004312875.tif 000007
【図７】
0004312875.tif 000008